【手続補正書】
【提出日】平成24年7月13日(2012.7.13)
【手続補正１】
【補正対象書類名】特許請求の範囲
【補正対象項目名】全文
【補正方法】変更
【補正の内容】
【特許請求の範囲】
【請求項１】
管腔を画定する外側管状部材と、
前記外側管状部材の管腔内を延びる内側管状部材と、該内側管状部材は、ガイドワイヤが通過できるように構成された開口を画定する側壁を有し、前記内側管状部材及び外側管状部材は、その間に植え込み型医療用内部人工器官を配置することができるように構成されていることと、
前記内側管状部材の管腔内に配置された支持部材と、前記支持部材は、その少なくとも一部が前記開口に隣接して配置され得るように構成され、前記支持部材及び外側管状部材は、前記内側管状部材に対して後退するように構成されていることと、前記開口は長手方向に延びる長尺状スロットであることと、
同長尺状スロットは、前記外側管状部材と内側管状部材との間に配置された植え込み型医療用内部人工器官の長さと同じ、又はそれ以上の長さを有することと
を含むシステム。
【請求項２】
前記支持部材の先端部分は、ガイドワイヤが内側管状部材の管腔内で基端方向に通されるときに、ガイドワイヤを前記開口に向かわせるように形成される、請求項１に記載のシステム。
【請求項３】
前記内側管状部材は単一体構造である、請求項１又は２に記載のシステム。
【請求項４】
前記内側管状部材が１種以上の金属から形成される、請求項１乃至３のいずれか一項に記載のシステム。
【請求項５】
前記開口の基端側の内側管状部材の側壁の一部が複数の切り込みを画定する、請求項１乃至４のいずれか一項に記載のシステム。
【請求項６】
前記切り込みは断続らせんの形態をとる、請求項５に記載のシステム。
【請求項７】
前記開口の先端側の内側管状部材の側壁の一部は、少なくとも１つの切り込みを画定する、請求項１乃至６のいずれか一項に記載のシステム。
【請求項８】
前記少なくとも１つの切り込みは連続らせんの形態をとる、請求項７に記載のシステム。
【請求項９】
前記支持部材は外側管状部材に対して長手方向において固定される、請求項１乃至８のいずれか一項に記載のシステム。
【請求項１０】
前記支持部材の先端部分は、前記外側管状部材の側壁の開口に隣接する位置で、外側管状部材に対して長手方向において固定される、請求項９に記載のシステム。
【請求項１１】
前記支持部材は、内側管状部材に対して回転方向において固定される、請求項１乃至１０のいずれか一項に記載のシステム。
【請求項１２】
前記支持部材の少なくとも一部は非円形断面を有し、かつ前記内側管状部材の管腔の少なくとも一部は非円形断面を有する、請求項１１に記載のシステム。
【請求項１３】
前記支持部材は、内側管状部材によって画定された長手方向溝内に受容されるように構成された径方向突起を備える、請求項１１に記載のシステム。
【請求項１４】
前記内側管状部材の先端側部分内を延びるスリーブをさらに備え、該スリーブは、ガイドワイヤがスリーブ内部を通過することができるように構成される、請求項１乃至１３のいずれか一項に記載のシステム。
【請求項１５】
前記スリーブはポリマーを含有する、請求項１４に記載のシステム。
【請求項１６】
前記スリーブは、ガイドワイヤがスリーブ内で基端方向に通されると、ガイドワイヤを前記開口に向かわせるように構成される、請求項１４に記載のシステム。
【請求項１７】
前記スリーブは、前記開口内に延びる基端側部分を備える、請求項１６に記載のシステム。
【請求項１８】
前記外側管状部材と内側管状部材との間に配置された植え込み型医療用内部人工器官をさらに備える、請求項１乃至１７のいずれか一項に記載のシステム。
【請求項１９】
前記植え込み型医療用内部人工器官は、自己拡張式植え込み型医療用内部人工器官である、請求項１８に記載のシステム。
【請求項２０】
長尺状スロットを画定する側壁を有する内側管状部材と、該内側管状部材は１種以上の金属で形成されていることと、
前記内側管状部材を少なくとも部分的に包囲する外側管状部材と、該外側管状部材は、開口を少なくとも部分的に画定する側壁を有し、前記開口は、ガイドワイヤが前記内側管状部材の長尺状スロット及び外側管状部材の該開口を通過することができるように構成されており、前記内側管状部材及び外側管状部材は、その間に植え込み型医療用内部人工器官が配置され得るように構成されていることと、前記長尺状スロットは前記内側管状部材に沿って長手方向に延びるとともに、該長尺状スロットの先端側において外側管状部材と内側管状部材との間に配置された植え込み型医療用内部人工器官の長さと同じ、又はそれ以上の長さを有することと
を含むシステム。
【請求項２１】
前記内側管状部材の管腔内に配置された支持部材をさらに備え、該支持部材は、その少なくとも一部が前記開口に隣接して配置され得るように構成されており、前記支持部材は内側管状部材に対して後退するように構成される、請求項２０に記載のシステム。
【請求項２２】
前記内側管状部材は単一体構造である、請求項２０に記載のシステム。
【請求項２３】
前記長尺状スロットの基端側の内側管状部材の側壁の一部が切り込みを画定する、請求項２０乃至２２のいずれか一項に記載のシステム。
【請求項２４】
前記切り込みは断続らせんの形態をとる、請求項２３に記載のシステム。
【請求項２５】
前記長尺状スロットの先端側の内側管状部材の側壁の一部は、少なくとも１つの切り込みを画定する、請求項２０乃至２４のいずれか一項に記載のシステム。
【請求項２６】
前記少なくとも１つの切り込みは連続らせんの形態をとる、請求項２５に記載のシステ
ム。
【請求項２７】
前記支持部材の先端部分は、ガイドワイヤが内側管状部材の管腔内で基端方向に通されると、ガイドワイヤを前記開口に向かわせるように構成される、請求項２１に記載のシステム。
【請求項２８】
前記支持部材は、外側管状部材に対して長手方向において固定される、請求項２１に記載のシステム。
【請求項２９】
前記支持部材の先端部分は、前記外側管状部材の側壁の開口に隣接する位置で、前記外側管状部材に対して長手方向において固定される、請求項２８に記載のシステム。
【請求項３０】
前記内側管状部材の先端側部分内を延びるスリーブをさらに備え、前記スリーブは、ガイドワイヤがスリーブ内部を通過することができるように構成される、請求項２０乃至２９のいずれか一項に記載のシステム。
【請求項３１】
前記スリーブは、ガイドワイヤが前記スリーブ内で基端方向に通されると、ガイドワイヤを前記開口に向かわせるように構成される、請求項３０に記載のシステム。
【請求項３２】
前記内側管状部材と外側管状部材との間に配置された植え込み型医療用内部人工器官をさらに備える、請求項２０乃至３１のいずれか一項に記載のシステム。
【手続補正２】
【補正対象書類名】明細書
【補正対象項目名】発明の名称
【補正方法】変更
【補正の内容】
【発明の名称】医療システム
【手続補正３】
【補正対象書類名】明細書
【補正対象項目名】０００１
【補正方法】変更
【補正の内容】
【０００１】
本発明は医療システムに関する。
【手続補正４】
【補正対象書類名】明細書
【補正対象項目名】０００４
【補正方法】変更
【補正の内容】
【０００４】
本発明の一態様において、システムは、管腔を画定する外側管状部材と、前記外側管状部材の管腔内を延びる内側管状部材と、前記内側管状部材の管腔内に配置された支持部材とを備える。内側管状部材は、ガイドワイヤが通過できるように構成された開口を画定する側壁を有する。前記内側管状部材及び外側管状部材は、その間に植え込み型の医療用内部人工器官を配置することができるように構成される。支持部材は、支持部材の少なくとも一部が前記開口に隣接して配置できるように構成され、支持部材及び外側管状部材は、内側管状部材に対して後退するように構成される。開口は、長手方向に延びる長尺状スロットである。長尺状スロットの先端側において外側管状部材と内側管状部材との間に配置された植え込み型医療用内部人工器官の長さと同じ、又はそれ以上の長さを有する。
【手続補正５】
【補正対象書類名】明細書
【補正対象項目名】０００５
【補正方法】変更
【補正の内容】
【０００５】
本発明の別の態様において、システムは、長尺状スロットを画定する側壁を有する内側管状部材と、前記内側管状部材を少なくとも部分的に包囲する外側管状部材とを備える。内側管状部材は１種以上の金属で形成される。外側管状部材は、開口を少なくとも部分的に画定する側壁を有し、前記開口は、ガイドワイヤが内側管状部材の長尺状スロット及び外側管状部材の該開口を通過することができるように構成される。内側管状部材及び外側管状部材は、その間に植え込み型医療用内部人工器官を配置することができるように構成される。長尺状スロットは、内側管状部材に沿って長手方向に延びるとともに、長尺状スロットの先端側において外側管状部材と内側管状部材との間に配置された植え込み型医療用内部人工器官の長さと同じ、又はそれ以上の長さを有する。
【手続補正６】
【補正対象書類名】明細書
【補正対象項目名】０００８
【補正方法】変更
【補正の内容】
【０００８】
実施形態は、以下の特徴の１つ以上を備えることができる。
【手続補正７】
【補正対象書類名】明細書
【補正対象項目名】０００９
【補正方法】削除
【補正の内容】